(57)【要約】【課題】電柱下方で操作する操作ハンドルを、コンパクトに折り畳み自在として操作盤に備え、当該操作盤の蓋体を被せることにより蓋体内に操作ハンドルを収納することができ、開閉操作も確実に行える。【解決手段】操作盤１上の一端に設けた軸受け４に、前記ロッドケーブルＥの鞘管Ｉの端部を揺動自在に軸支し、前記軸受け４から一定長離れた箇所の前記操作盤１上に、突起軸８を設け、操作ハンドル１１の一端に前記突起軸８に着脱自在な支点穴１３を穿ち、また、この支点穴１３にから離れた位置に前記ロッドケーブルＥの一端を回転自在に係止し、当該操作ハンドル１１は、支持穴１３を前記突起軸８に嵌めて、当該支持穴１３を中心に回転させることによりロッドケーブルＥが上下動可能であり、これにより開閉器は開閉動作する。【選択図】        図２
2008285974.tif 000002
【特許請求の範囲】
【請求項１】
電柱の腕金に固定した開閉器の開閉ハンドルと電柱の下部に設けた操作ボックスの回転軸に嵌めた操作ハンドルとを、両端部を電柱又はその他の部材に固定した鞘管に摺動自在に収納したロッドケーブルの各端部に夫々係止し、前記操作盤の操作ハンドルを回転させて前記ロッドケーブルを上下動させることにより前記開閉器の入り切りを行う柱上開閉器用操作装置において、
前記操作ボックスは操作盤と蓋体とから成り、前記操作盤上の一端に設けた軸受けに、前記ロッドケーブルの鞘管の端部を、ロッドケーブルの長手方向に対して直角な軸で揺動自在に軸支し、前記軸受けから当該ロッドケーブルの略長手方向に一定長離れた箇所の前記操作盤上に、前記軸と略平行に突起軸を設け、
操作ハンドルの一端に前記突起軸に着脱自在な支点穴を穿ち、また、この支点穴にから離れた位置に前記ロッドケーブルの一端を回転自在に係止し、
当該操作ハンドルは、支点穴を前記突起軸に嵌めて、当該支点穴を中心に回転させることにより、ロッドケーブルが上下動可能であり、
また、当該操作ハンドルを前記突起軸から外し、前記ロッドケーブルの係止箇所を中心に当該操作ハンドルを回転させて、前記ロッドケーブル側に操作ハンドルを折り返し、この状態で当該操作盤上の前記鞘管の端部、ロッドケーブル、操作ハンドル、及び突起軸を収納可能な蓋体を設けたことを特徴とする、柱上開閉器用操作装置。
【請求項２】
前記操作ハンドルへのロッドケーブルの一端を回転自在に係止する構成は、前記操作ハンドルの支点穴から離れた箇所で、前記ロッドケーブルの長手方向に対して略直角な方向のピンにより係止金具を回転自在に軸支し、この係止金具に断面コ字型部を設け、このコ字型部の対向する両側板に設けた孔に夫々ロッドケーブルの一端を遊通し、当該コ字型内のロッドケーブルにナットを螺着して固定し、前記ロッドケーブルはその軸を中心に回転自在であるとともに前記開閉ハンドルに対して前記ピンを中心に回転自在に係止されていることを特徴とする、請求項１に記載の柱上開閉器用操作装置。
【請求項３】
前記突起軸は、先端に径の大きな頭部を有し、前記操作ハンドルの支点穴は当該操作ハンドルを貫通し、前記頭部の外径より大きい内径を有するとともに、前記ハンドルの前記支点穴の周囲の厚さは前記突起軸の頭部を除いた部分の幅より小さいことを特徴とする、請求項１又は２に記載の柱上開閉器用操作装置。
【請求項４】
電柱の腕金に固定した開閉器の開閉ハンドルと、電柱の下部に設けた操作盤の回転軸に嵌めた操作ハンドルとを、両端部を電柱又は他の部材に固定した鞘管に摺動自在に収納したロッドケーブルの各端部で夫々係止し、前記操作盤の操作ハンドルを回転させて前記ロッドケーブルを上下動させることにより前記開閉器の入り切りを行う柱上開閉器用操作装置において、
前記開閉器の開閉ハンドルの一端に係止するロッドケーブルの鞘管端部を、前記開閉器を固定した腕金に吊り下げた支持体の水平板の孔に貫通させて、支持させたことを特徴とする、柱上開閉器用操作装置。
【請求項５】
前記開閉ハンドルの一端を、二枚の板体から成るアタッチメントで挟んで、当該二枚の板体をボルトナットで締め付け、前記開閉ハンドルの一端に設けた既設の引き綱用の孔に、前記二枚の板体に通したボルトを通して当該アタッチメントを開閉器ハンドルに固定し、当該アタッチメントの一方の板体に設けた軸で、前記ロッドケーブルの一端に固定した係止金具を軸支したことを特徴とする、請求項４に記載の柱上開閉器用操作装置。
【発明の詳細な説明】
【技術分野】
【０００１】
この発明は、柱上開閉器用の開閉操作装置に関するもので、地上からハンドル操作によって開閉器の開閉ハンドルを回転させて当該開閉器の入り切りを行う装置に関するものである。
【背景技術】
【０００２】
従来、柱上に設置されている高圧開閉器は開閉ハンドルの両端に結ばれたロープや綱で開閉操作を行っている。このロープ等は第三者のいたずら防止のため、地上より簡単に手の届かない位置に前記ロープの握部が留めてあり、作業者は昇柱しなければ開閉操作が出来ない。
【０００３】
このため、前記ロープ等の、握部を含めた下端部を、地上から手の届く位置の電柱に固定した収納ボックスに入れ、当該収納ボックスを施錠し、関係者以外は、前記開閉器の開閉操作ができないようになっている。
【０００４】
【特許文献１】特開平９−１４７６９３号公報
【特許文献２】特開２００７−３５５３３号公報
【０００５】
また、前記ロープは剛性が無いため、ロープの上下動が確実にハンドルに伝達されないおそれや、耐久性に欠けるため、ロープに代えて、剛性がありかつフレキシブルなロッドケーブルが用いられている場合がある。この場合は、図１８、及び図１９に示すように、電柱Ａの上部の腕金Ｂに吊るした前記開閉器Ｃの開閉ハンドルＤにロッドケーブルＥの上端を係止して、当該ロッドケーブルＥの下端を、地上から手の届く位置の電柱Ａに固定した操作ボックスＦに導入し、当該操作ボックスＦ内に設けたハンドル差込棒Ｇに操作ハンドルＨの先端を差込んで回転させると、前記ハンドル差込棒Ｇの軸が回転し、この回転動作が前記ロッドケーブルＥを押し出したり、引っ張ったりして前記開閉器Ｃの開閉ハンドルＤを動かす構造となっている。
【発明の開示】
【発明が解決しようとする課題】
【０００６】
しかしながら、図１９のものは、操作ハンドルＨが大きく、操作ボックスＦに収納することができない。そのため、作業者は開閉器Ｃの操作をする場合は、現場に操作ハンドルＨを持ち込まなければならず、手間のかかるものであった。また、図１８に示すように、前記開閉器Ｃの開閉ハンドルＤの一端に取り付けるロッドケーブルＥの鞘管Ｉの上端部の支持部を、電柱Ａに固定した水平アームＪに支持しているが、前記水平アームＪを取り付ける電柱Ａ箇所には他の装柱物が多数あり場所を確保するのが難しく、また当該水平アームＪ等の部材を別途用意しなければならず、コストが上がってしまう。また、これらは、揺れやたわみにより当該鞘管Ｉの支持部と開閉器Ｃの開閉ハンドルＤとの距離の寸法だしが難しく、寸法を誤ると前記操作ハンドルＨによるロッドケーブルＥの動作が正確に伝わらないおそれがある。
【０００７】
この発明はこのような従来技術を考慮して為されたもので、電柱下方で操作する操作ハンドルを、コンパクトに折り畳み自在として操作盤に備え、当該操作盤の蓋体を被せることにより蓋体内に操作ハンドルを収納することができ、さらに、開閉操作をより確実に行える柱上開閉器用操作装置を提供し、上記課題を解決しようとするものである。
【課題を解決するための手段】
【０００８】
そこで、請求項１の発明は、電柱の腕金に固定した開閉器の開閉ハンドルと電柱の下部に設けた操作ボックスの回転軸に嵌めた操作ハンドルとを、両端部を電柱又はその他の部材に固定した鞘管に摺動自在に収納したロッドケーブルの各端部に夫々係止し、前記操作盤の操作ハンドルを回転させて前記ロッドケーブルを上下動させることにより前記開閉器の入り切りを行う柱上開閉器用操作装置において、前記操作ボックスは操作盤と蓋体とから成り、前記操作盤上の一端に設けた軸受けに、前記ロッドケーブルの鞘管の端部を、ロッドケーブルの長手方向に対して直角な軸で揺動自在に軸支し、前記軸受けから当該ロッドケーブルの略長手方向に一定長離れた箇所の前記操作盤上に、前記軸と略平行に突起軸を設け、操作ハンドルの一端に前記突起軸に着脱自在な支点穴を穿ち、また、この支点穴にから離れた位置に前記ロッドケーブルの一端を回転自在に係止し、当該操作ハンドルは、支点穴を前記突起軸に嵌めて、当該支点穴を中心に回転させることにより、ロッドケーブルが上下動可能であり、また、当該操作ハンドルを前記突起軸から外し、前記ロッドケーブルの係止箇所を中心に当該操作ハンドルを回転させて、前記ロッドケーブル側に操作ハンドルを折り返し、この状態で当該操作盤上の鞘管の端部、ロッドケーブル、操作ハンドル、及び突起軸を収納可能な蓋体を設けた、柱上開閉器用操作装置とした。
【０００９】
請求項２の発明は、請求項１の発明において、前記操作ハンドルへのロッドケーブルの一端を回転自在に係止する構成は、前記操作ハンドルの支点穴から離れた箇所で、前記ロッドケーブルに対して直角な方向のピンにより係止金具を回転自在に軸支し、この係止金具に断面コ字型部を設け、このコ字型部の対向する両側板に設けた孔に夫々ロッドケーブルの一端を遊通し、当該コ字型内のロッドケーブルにナットを螺着して固定し、前記ロッドケーブルはその軸を中心に回転自在であるとともに前記開閉ハンドルに対して前記ピンを中心に回転自在に係止されている、柱上開閉器用操作装置とした。
【００１０】
請求項３の発明は、請求項１又は２の発明において、前記突起軸は、先端に径の大きな頭部を有し、前記操作ハンドルの支点穴は当該操作ハンドルを貫通し、前記頭部の外径より大きい内径を有するとともに、前記ハンドルの前記支点穴の周囲の厚さは前記突起軸の頭部を除いた部分の幅より小さい、柱上開閉器用操作装置とした。
【００１１】
請求項４の発明は、電柱の腕金に固定した開閉器の開閉ハンドルと、電柱の下部に設けた操作盤の回転軸に嵌めた操作ハンドルとを、両端部を電柱又は他の部材に固定した鞘管に摺動自在に収納したロッドケーブルの各端部で係止し、前記操作盤の操作ハンドルを回転させて前記ロッドケーブルを上下動させることにより前記開閉器の入り切りを行う柱上開閉器用操作装置において、前記開閉器の開閉ハンドルに係止するロッドケーブルの鞘管端部を、前記開閉器を固定した腕金に吊り下げた支持体の水平板の孔に貫通させて支持させた、柱上開閉器用操作装置とした。
【００１２】
請求項５の発明は、請求項４の発明において、前記開閉ハンドルの一端を、二枚の板体から成るアタッチメントで挟んで、当該二枚の板体をボルトナットで締め付け、前記開閉ハンドルの一端に設けた既設の引き綱用の孔に、前記二枚の板体に通したボルトを通して当該アタッチメントを開閉器ハンドルに固定し、当該アタッチメントの一方の板体に設けた軸で、前記ロッドケーブルの一端に固定した係止金具を軸支した、柱上開閉器用操作装置とした。
【発明の効果】
【００１３】
請求項１の発明によれば、操作ハンドルを操作盤の蓋体内に収納できるので、作業者が現場に操作ハンドルを持っていく必要が無い。蓋体を開ければ、操作ハンドルは既にロッドケーブルに回転自在に接続されており、当該操作ハンドルの一端の支点穴を操作盤の突起軸に嵌めれば、前記開閉器の開閉操作を行うことができ、操作ハンドルの設置作業が極めて容易で、作業効率が大幅に向上する。また、操作盤に蓋体を被せると、操作盤上の鞘管の端部、ロッドケーブル、操作ハンドル、及び突起軸が収納でき、これらの保護が容易にでき、第三者のいたずらされるおそれがない。
【００１４】
請求項２の発明によれば、前記操作ハンドルへのロッドケーブルの一端を回転自在に係止する構成が、ロッドケーブル自体がその軸を中心に回転自在であり、かつ操作ハンドルに対して前記ピンを中心に回転自在であるため、前記操作ハンドルを前記支点穴を中心に回転させた際、前記ロッドケーブルは前記操作ハンドルの動きにスムーズに追従できる。
【００１５】
請求項３の発明によれば、前記突起軸は大きい径の頭部を有するため、操作ハンドルの支点穴を当該突起軸に嵌めた際、操作ハンドルの支点穴に横方向の荷重がかかても、支点穴の周囲は突起軸の頭部に引っ掛かり、むやみに操作ハンドルが突起軸から抜けるおそれが無く、開閉作業を効率よく行うことができる。
【００１６】
請求項４の発明は、前記開閉器のハンドルの一端に取り付けるロッドケーブルの鞘管の上端部の支持部を、開閉器を固定した腕金に吊り下げた支持体の水平板の孔に貫通させて支持しているため、開閉器と当該支持部が同じ腕金に支持され、当該鞘管の支持部と開閉器の開閉ハンドルとの距離が常に一定となり、これらの寸法だしが容易かつ正確となる。従って、電柱下方で前記操作ハンドルによるロッドケーブルの動作が安定して正確に伝わる。また、ロッドケーブルの鞘管の上端部の支持部を開閉器と同じ腕金に取り付けるため、前記支持部を支持するアーム等の部材を別途設ける必要が無く、それだけ部品点数が少なくなり、コストを低減できる。
【００１７】
また、請求項５の発明は、前記開閉ハンドルの一端を、二枚の板体から成るアタッチメントで挟んで、当該二枚の板体をボルトナットで締め付け、前記開閉ハンドルの一端に設けた既設の引き綱用の孔に、前記二枚の板体に通したボルトを通して当該アタッチメントを開閉器ハンドルに固定したため、当該アタッチメントは開閉ハンドルに完全に固定され、位置決めされる。そして、当該アタッチメントの一方の板体に設けた軸で、前記ロッドケーブルの一端に固定した係止金具を軸支したため、開閉器の開閉ハンドルへのロッドケーブルの取り付けが容易であり、さらに、ロッドケーブルの動作をスムーズに開閉ハンドルに伝達することができる。
【発明を実施するための最良の形態】
【００１８】
この発明は、前記操作ボックスは操作盤と蓋体とから成り、前記操作盤上の一端に設けた軸受けに、前記ロッドケーブルの鞘管の端部を、ロッドケーブルの長手方向に対して直角な軸で揺動自在に軸支し、前記軸受けから当該ロッドケーブルの略長手方向に一定長離れた箇所の前記操作盤上に、前記軸と略平行に突起軸を設け、操作ハンドルの一端に前記突起軸に着脱自在な支点穴を穿ち、また、この支点穴にから離れた位置に前記ロッドケーブルの一端を回転自在に係止し、当該操作ハンドルは、支持穴を前記突起軸に嵌めて、当該支持穴を中心に回転させることにより、ロッドケーブルが上下動可能であり、また、当該操作ハンドルを前記突起軸から外し、前記ロッドケーブルの係止箇所を中心に当該操作ハンドルを回転させて、前記ロッドケーブル側に操作ハンドルを折り返し、この状態で当該操作盤上の鞘管の端部、ロッドケーブル、操作ハンドル、及び突起軸を収納可能な蓋体を設けた、柱上開閉器用操作装置とした。これにより操作ハンドルを操作盤の蓋体内に収納できるので、作業者が現場に操作ハンドルを持っていく必要が無い。また、操作ハンドルを折り畳んで蓋体内に収容できるので、当該操作盤及び蓋体がコンパクトになる。
【実施例１】
【００１９】
以下、この発明の実施例を図に基づいて説明する。
この発明の柱上開閉器用操作装置は図１に示すように、電柱Ａの上部に設けた腕金Ｂに開閉器Ｃを吊架し、当該電柱Ａの下部の、地上から作業者の手が届く位置に、操作ボックスＦを取り付け、前記開閉器Ｃの開閉ハンドルＤの一端と前記操作ボックスＦとを繋ぐロッドケーブルＥを摺動自在に収納した鞘管Ｉを当該電柱Ａに沿って設けた構成である。
【００２０】
前記操作ボックスＦは、図２及び図３に示すように、四辺形の台板から成る操作盤１と、この操作盤１に被せる蓋体２から構成されており、前記操作盤１は電柱Ａの上下に沿って自体の長手方向を合わせて電柱Ａに当接し、その上から電柱Ａを巻き回したバンド３により、電柱Ａに固定されている。この操作盤１の外面上部に軸受け４を突設し、前記鞘管Ｉの下端の直線状のガイド管Ｉａの外周を被覆し、当該ガイド管Ｉａの側部に突片５ａを突出させた把持体５の前記突片５ａを前記軸受け４の、前記ガイド管Ｉａに直交する軸６で軸支し、当該ガイド管Ｉａを当該軸６を中心に揺動自在に支持している。
【００２１】
この軸受け４の下方の前記操作盤１の外面に突板７を立設し、当該突板７の一側から、大径の頭部８ａを有する突起軸８を突出させ、当該突起軸８は前記軸６と略平行に位置している。また、操作ハンドル１１の中ほどに設けた後述のＵ字型部１１ｂの両側に渡したピン１２に回転自在に軸支された係止金具９を設け、当該係止金具９に断面コ字型部を設け、このコ字型部の対向する両側板に設けた孔に夫々、前記ガイド管Ｉａから突出したロッドケーブルＥの一端を遊通し、当該コ字型内のロッドケーブルＥに、スプリングワッシャーを挟んでダブルナット１０を螺着し、当該ナット１０がストッパーとなって係止金具９に係止されている。つまり、当該ロッドケーブルＥは、その軸を中心に回転自在であり、かつ前記開閉ハンドル１１の前記ピン１２を中心に回転自在に係止されている。
【００２２】
そして、この操作ハンドル１１は、図４に示すように、一端に握り部１１ａを有し、当該握り部１１ａの反対端はＵ字型に折り曲げられてＵ字型部１１ｂを形成し、当該Ｕ字型部１１ｂの他側から直片状の支点端部１１ｃを設けている。そして当該支点端部１１ｃに、前記突出軸８の頭部８ａの径よりやや大きい支点穴１３を、当該支点端部１１ｃを貫通して、穿っている。また、この支点端部１１ｃの厚さは、前記突出軸８の頭部８ａを除いた幅より小さい。
【００２３】
また、前記操作盤１の外面下部には、図５に示すように、蓋体２のガイドとなるＬ字型の２個のガイド片１４が立設されており、さらに、当該操作盤１の両側面には、パンチ錠受け具１５が設けられている。また、当該操作盤１の外面上端の両側には夫々、切り込み１６が設けられている。
【００２４】
また、前記蓋体２は、図６に示すように、略箱型で一側が開口し、前記操作盤１の外面に前記開口部が載る大きさとなっている。また、この蓋体２の上部両側には夫々、前記操作盤１の切り込み１６に係止する係止片１７が設けられている。また、当該蓋体２の両側面には、前記操作盤１のパンチ錠受け具１５に係止自在なパンチ錠１８が設けられている。なお、図３には、当該パンチ錠１８をパンチ錠受け具１５にかけた上に、鍵１９で施錠している状態を示している。また、前記蓋体２は操作盤１にチェーン２０により繋がっている。
【００２５】
上記図２及び３は、前記操作盤１に蓋体２を被せている状態を示し、この状態では、前記操作ハンドル１１は折り畳まれた状態である。この操作ハンドル１１を用いて開閉器Ａの開閉操作をするには、蓋体２を開け、操作ハンドル１１を、前記係止金具９のピン１２を中心に回転させ、操作ハンドル１１の握り部１１ａを手前に立ち上げ、当該操作ハンドル１１の支点端部１１ｃを、前記突起軸８に近づけ、支点穴１３を前記突起軸８に嵌める。
【００２６】
そして、図７に示すように、操作ハンドル１１の握り部１１ａを持って、これを下方に下ろす。これにより操作ハンドル１１は前記突起軸８を中心に回転し、当該捜査ハンドル１１に係止されたロッドケーブルＥは前記ガイド管Ｉａの端部から下方に引き出される。その際、前記ガイド管Ｉａは前記軸受け４の軸６を中心に揺動自在となっているため、操作ハンドル１１を回転させると当該操作ハンドル１１の回転に追従して前記ガイド管Ｉａも回転する。この動作により前記開閉器Ｃの開閉ハンドルＤが回転し、開閉器Ｃの「入」操作となる。
【００２７】
また、図８に示すように、下方にある操作ハンドル１１の握り部１１ａを持って、これを上方に引き上げる。これにより操作ハンドル１１は前記突起軸８を中心に回転し、当該操作ハンドル１１に係止されたロッドケーブルＥは前記ガイド管Ｉａの端部に挿入される。この動作により前記開閉器Ｃの開閉ハンドルＤが回転し、開閉器Ｃの「切」操作となる。また、これらの操作中に、操作ハンドル１１の一端の支点穴１３付近に横方向の荷重がかかった場合でも、支点穴１３の周囲が突起軸８の頭部８ａに当たり、むやみに支点穴１３は突起軸８から外れない。
【００２８】
次に、前記開閉器Ｃの開閉ハンドルＤとロッドケーブルＥとの接続及びロッドケーブルＥの鞘管Ｉの上部支持部について、図９〜図１１を基にして説明する。図９は前記ロッドケーブルＥの上端の鞘管Ｉの端部を支持する上部支持部の側面図、図１０は同正面図及び図１１は同平面図である。
【００２９】
前記開閉器Ｃを吊り下げた腕金Ｂにチャネル材からなる縦長の支持体２１を、その上端に設けた吊り金具２１ａにより前記開閉器Ｃの正面側に近接して吊り下げ、当該支持体２１の、前記開閉器Ｃと対向する面の下部にＬ字金具２２をボルト、ナットにより固定し、当該Ｌ字金具２２の水平板２２ａに穿った孔に前記ロッドケーブルＥの鞘管Ｉの上端部の直線状のガイド管Ｉｂを全方向に傾斜自在に貫通させている。
【００３０】
これは、前記ガイド管Ｉｂの外周に、内周面が球面の一部に相応する湾曲軸受けフランジ２３を設け、前記ガイド管Ｉｂの外周に設けた球面部を前記湾曲軸受けフランジ２３の軸受けに回転自在に嵌合し、このガイド管Ｉｂを前記Ｌ字金具２２の水平板２２ａの孔に遊貫し、前記軸受けフランジ２３を前記水平板２２ａに重合して固定したものである。
【００３１】
また、前記Ｌ字金具２２の縦板には、離れた位置に２組のねじ孔２４を設けており、開閉器Ｃの機種によってどちらか一方の組のねじ孔２４を、前記支持体２１に穿った２つの孔に合わせ、ボルト２５をこれらの孔及びねじ孔２４に挿入、螺着し、支持体２１にＬ字金具２２を固定している。
【００３２】
また、この様に固定されたガイド管Ｉｂの端部から突出したロッドケーブルＥの端部を、係止金具２６の断面コ字型部の対向する両側板に設けた孔に夫々遊通して、前記コ字型部内のロッドケーブルＥにスプリングワッシャーを挟んでダブルナット２７を螺着して固定し、当該ボルト２７がストッパーとなって、当該ロッドケーブルＥはその軸を中心に回転自在に係止金具２６に係止される。そしてこの係止金具２６に、前記開閉ハンドルＤに取り付けるアタッチメント２８を回転自在に接続している。
【００３３】
このアタッチメント２８は、略ひし形の２枚の板体２８ａを重ね、これらの板体２８ａの三箇所の角部に穿った３個の孔にボルト２８ｂを通して、当該ボルト２８ｂの端部にナット２８ｃを螺着し、これらの板体２８ａと２８ａとの間に前記開閉ハンドルＤの一端を挟持している。そして、前記開閉ハンドルＤの一端の、引き綱を係止するため予め穿ってある孔に、当該孔に対向した位置にある前記ボルト２８ｂの一つを通して固定する。このボルト２８ｂの周囲には、図示は省略したが、前記孔の内径とほぼ同じ外径のワッシャーを被せて前記孔に嵌めることにより当該アタッチメント２８は開閉ハンドルＤの長手方向には動かず、固定され、位置決めされる。なお、この開閉ハンドルＤの引き綱を係止するため予め穿ってある孔の内径と同じ外径を有するボルト２８ｂを用いれば、前記ワッシャーは必ずしも必要ではない。そして、一方の板体２８ａの角部の前記孔のない箇所から突出させた軸２８ｄに前記係止金具２６の一端の孔をはめてその上からナット２９を螺着し、前記係止金具２６とアタッチメント２８とは相互に前記軸２８ｄを中心に回転自在に接続されている。
【００３４】
また、前記アタッチメント２８の各板体２８ａの前記３個の孔の脇には夫々他の孔が設けてあり、これらの孔は他のタイプの機種の開閉器の開閉ハンドルに当該アタッチメント２８を取り付ける場合に使用するものである。
【００３５】
図１２〜図１５は腕金Ｂに吊り下げた開閉器Ｃの開閉ハンドルＤの一端に前記アタッチメント２８を取り付けた状態を示す正面図、同一部省略側面図、同平面図である。特に図１２は開閉器Ｃが「入」の状態を示す。また、図１５は図１２の開閉器Ｃが「切」の状態を示す。
【００３６】
前記操作ハンドル１１の操作により、前記ロッドケーブルＥの上端が上がると係止金具２６及びアタッチメント２８に引っ張られて開閉器Ｃの開閉ハンドルＤの一端が回転して上がり、当該開閉器Ｃは、図１５に示すように、「切」の状態になる。また、ロッドケーブルＥの上端が下がると、前記開閉ハンドル１１の一端は前記係止金具２６及びアタッチメント２８に引っ張られて回転して下がり、当該開閉器Ｃは、図１２に示すように、「入」の状態になる。
【００３７】
また、図１６及び図１７はこの発明の上部支持部を他のタイプの機種の開閉器Ｃ´に取り付けた状態を示す正面図であり、図１６は「入」の状態、図１７は「切」の状態を示す。これらの場合、前記アタッチメント２８の３個の孔は前記開閉器Ｃの際に使用した孔と異なる３個の孔を使用する。また、前記Ｌ字金具２２の支持体２１に対する取り付け位置も、前記開閉器Ｃの場合の位置とは異なり、使用するねじ孔２４も異なる組のものを使用している。この様に、開閉器の開閉ハンドルの位置が機種によって異なるので、これらに対応して使用できるようにしたものである。
【図面の簡単な説明】
【００３８】
【図１】この発明の実施例１の全体を示す概略側面図である。
【図２】この発明の実施例１の操作ボックスの概略側面図である。
【図３】この発明の実施例1の操作ボックスの概略正面図である。
【図４】この発明の実施例１の操作ハンドルとロッドケーブルの下端部の接続状態を示す図で、（Ａ）は正面図、（Ｂ）は側面図である。
【図５】この発明の実施例１の操作ボックスの操作盤自体を示す図で、（Ａ）は正面図、（Ｂ）は側面図、（Ｃ）はＡ−Ａ断面図である。
【図６】この発明の実施例１の操作ボックスの蓋体を示す図で、（Ａ）は正面図、（Ｂ）は側面図である。
【図７】この発明の実施例１の操作ハンドルの、開閉器の「入」操作を示す側面図である。
【図８】この発明の実施例１の操作ハンドルの、開閉器の「切」操作を示す側面図である。
【図９】この発明の実施例１のロッドケーブルの上端の鞘管の端部を支持する上部支持部の側面図である。
【図１０】この発明の実施例１のロッドケーブルの上端の鞘管の端部を支持する上部支持部の正面図である。
【図１１】この発明の実施例１のロッドケーブルの上端の鞘管の端部を支持する上部支持部の平面図である。
【図１２】この発明の実施例１の腕金に吊り下げた開閉器の開閉ハンドルの一端にアタッチメントを取り付けた開閉器の「入」状態を示す正面図である。
【図１３】この発明の実施例１の腕金に吊り下げた開閉器の開閉ハンドルの一端にアタッチメントを取り付けた状態を示す側面図である。
【図１４】この発明の実施例１の腕金に吊り下げた開閉器の開閉ハンドルの一端にアタッチメントを取り付けた状態を示す平面図である。
【図１５】この発明の実施例１の腕金に吊り下げた開閉器の開閉ハンドルの一端にアタッチメントを取り付けた開閉器の「切」状態を示す正面図である。
【図１６】この発明の上部支持部を他のタイプの機種の開閉器に取り付けた開閉器が「入」の状態を示す正面図である。
【図１７】この発明の上部支持部を他のタイプの機種の開閉器に取り付けた開閉器が「切」の状態を示す正面図である
【図１８】従来の開閉器用操作装置の上部の開閉器周辺を示す概略側面図である。
【図１９】従来の開閉器用操作装置の下部の操作ボックスを示す概略側面図である。
【符号の説明】
【００３９】
Ａ      電柱                      Ｂ      腕金
Ｃ      開閉器                    Ｄ      開閉ハンドル
Ｅ      ロッドケーブル            Ｆ      操作ボックス
Ｇ      ハンドル差込棒            Ｊ      アーム
Ｈ      操作ハンドル              Ｉ      鞘管
Ｉａ    ガイド管                  Ｉｂ    ガイド管
１      操作盤                      ２      蓋体
３      バンド                      ４      軸受け
５      把持体                      ６      軸
７      突片                        ８      突起軸
９      係止金具                  １０      ナット
１１      操作ハンドル              １１ａ    握り部
１１ｂ    Ｕ字型部                  １１ｃ    支点端部
１２      ピン                      １３      支点穴
１４      ガイド片                  １５      パンチ錠受け具
１６      切り込み                  １７      係止片
１８      パンチ錠                  １９      鍵
２０      チェーン                  ２１      支持体
２１ａ    吊り金具                  ２２      Ｌ字金具
２２ａ    水平板                    ２３      軸受けフランジ
２４      ねじ孔                    ２５      ボルト
２６      係止金具                  ２７      ナット
２８      アタッチメント            ２８ａ    板体
２８ｂ    ボルト                    ２８ｃ    ナット
２８ｄ    軸                        ２９      ナット      
【図１】
2008285974.tif 000003
【図２】
2008285974.tif 000004
【図３】
2008285974.tif 000005
【図４】
2008285974.tif 000006
【図５】
2008285974.tif 000007
【図６】
2008285974.tif 000008
【図７】
2008285974.tif 000009
【図８】
2008285974.tif 000010
【図９】
2008285974.tif 000011
【図１０】
2008285974.tif 000012
【図１１】
2008285974.tif 000013
【図１２】
2008285974.tif 000014
【図１３】
2008285974.tif 000015
【図１４】
2008285974.tif 000016
【図１５】
2008285974.tif 000017
【図１６】
2008285974.tif 000018
【図１７】
2008285974.tif 000019
【図１８】
2008285974.tif 000020
【図１９】
2008285974.tif 000021
【手続補正書】
【提出日】平成20年7月16日(2008.7.16)
【手続補正１】
【補正対象書類名】図面
【補正対象項目名】図１６
【補正方法】変更
【補正の内容】
【図１６】
2008285974.tif 000022
【手続補正２】
【補正対象書類名】図面
【補正対象項目名】図１７
【補正方法】変更
【補正の内容】
【図１７】
2008285974.tif 000023